(57)【要約】【課題】本発明は、歯の治療と洗浄を行いやすくする複数の内冠を備えた義歯を提供する。【解決手段】本発明による複数の内冠を備えた義歯は、複数の内冠と、複数の連結バーと、少なくとも一つの外冠とからなる。前記内冠は、それぞれ、複数の支柱歯に被せられ、各連結バーは、それぞれ、前記内冠の内の二つ以上に連結され、前記外冠内には複数の凹溝が設けられ、前記凹溝は、前記内冠に対応して設けられる。前記外冠を前記内冠に被せた時、前記外冠は前記内冠と密着する。【選択図】図２
2012143561.tif 000002
【特許請求の範囲】
【請求項１】
複数の内冠と、複数の連結バーと、少なくとも一つの外冠と、からなる複数の内冠を備えた義歯は、
前記複数の内冠は、それぞれ、複数の支柱歯にかぶせられ、
前記複数の連結バーの各連結バーは、それぞれ、前記内冠の内の二つ以上に連結され、
前記少なくとも一つの外冠内には、少なくとも一つの凹溝が設けられ、
前記凹溝は、前記内冠に対応して設けられ、
前記外冠を前記内冠に被せた時、前記外冠は前記内冠と密着することを特徴とする、複数の内冠を備えた義歯。
【請求項２】
前記複数の内冠を備えた義歯は、係合メカニズムを備え、
前記係合メカニズムは、係合ブロックと、弾性カバーとからなり、
前記係合ブロックは、球状を呈するとともに、前記内冠の内の一つの上に設けられ、
前記弾性カバーは、前記凹溝の内の一つの内部に設けられるとともに、カバー口とカバー溝とを備え、前記カバー口と前記カバー溝は相互に連通し、前記カバー口は、前記係合ブロックに対応して設けられるとともに、前記係合ブロックの最も広い直径より小さく、前記カバー溝は、前記係合ブロック外縁を被覆することを特徴とする、請求項１に記載の複数の内冠を備えた義歯。
【請求項３】
前記弾性カバーは、ゴム材、或いは、金属片の弾性キャップであり、前記係合ブロックは、前記内冠の頂面に設けられることを特徴とする、請求項２に記載の複数の内冠を備えた義歯。
【請求項４】
複数の内冠と、複数の連結バーと、少なくとも一つの外冠と、係合メカニズムと、からなる、複数の内冠を備えた義歯であって、
前記複数の内冠は、それぞれ、複数の支柱歯の上に被せられ、
前記複数の連結バーの各連結バーは、それぞれ、前記内冠の内の二つ以上に連結され、
少なくとも一つの外冠の内部には複数の凹溝が設けられ、前記凹溝は、前記内冠に対応して設けられ、
前記係合メカニズムは、係合ブロックと、弾性カバーとを備え、
前記係合ブロックは、球状を呈するとともに、前記内冠の内の一つの上に設けられ、
前記弾性カバーは、前記凹溝の内の一つの内部に設けられるとともに、カバー口とカバー溝とを備え、前記カバー口は、前記カバー溝と相互に連通するとともに、前記係合ブロックの最も広い直径より小さく、前記カバー口は、前記係合ブロックに対応して設けられ、前記カバー溝は前記係合ブロック外縁を被覆することを特徴とする、複数の内冠を備えた義歯。
【請求項５】
前記弾性カバーは、ゴム材、或いは、金属片の弾性キャップであり、前記係合ブロックは、前記内冠の頂面に設けられることを特徴とする、請求項４に記載の複数の内冠を備えた義歯。
【発明の詳細な説明】
【技術分野】
【０００１】
本発明は義歯に関し、特に、複数の歯根の内冠を備えた義歯に関する。
【背景技術】
【０００２】
義歯は、患者の欠けた歯を補うために用いられ、患者が正常な咀嚼機能を維持することができるようになるとともに、歯を極めて清潔に保ちそれ以上腐損させないようにする。
【０００３】
現在、内冠と外冠を組み合わせてなる義歯は、内冠を本物の歯の上に被せ、さらに、外冠を内冠上に置く。この方式だと、使用者が外冠を取り外して歯根の周りを洗浄しやすくなり、また、外冠が破損した時、交換することができるため、患者が日常での咀嚼に影響を与えることがない。
【０００４】
図１を参照する。本物の歯９０の下は、歯根の二股の地盤の骨であり、食べ物が溜まって腐り、骨を蝕んで腐敗穴９１となりやすい。腐敗穴９１内に溜まった汚れは、腐敗穴９１が歯ぐきが包む歯根の二股の箇所に位置するため、医者が、歯のクリーニングや治療を行う時、機器を入れにくく取り除くのが難しい。しかも、食べ物の食べカスは、歯肉の下の根の骨の孔内に隠れやすく、普段クリーニングするのが難しく、多くの患者は、一般的な単一冠をくっつける義歯やドイツで開発されたＫｏｎｕｓ単一内冠を取り付けた後、本物の歯及び、二股の地盤の骨が次第に腐蝕する。患者が一旦化膿して痛みだすと、歯根の二股箇所の穴は治療するのが難しいだけでなく、腐敗物が溜まる穴を洗浄して治療することができない。
【発明の概要】
【発明が解決しようとする課題】
【０００５】
そこで、本発明は、歯の治療と洗浄を行いやすくする複数の内冠を備えた義歯を提供することを目的とする。
【課題を解決するための手段】
【０００６】
本発明による複数の内冠を備えた義歯は、複数の内冠と、複数の連結バーと、少なくとも一つの外冠とからなる。前記内冠は、それぞれ、複数の支柱歯に被せられ、各連結バーは、それぞれ、前記内冠の内の二つ以上に連結され、前記外冠内には複数の凹溝が設けられ、前記凹溝は、前記内冠に対応して設けられる。前記外冠を前記内冠に被せた時、前記外冠は前記内冠と密着する。
【０００７】
本発明は、更に、係合メカニズムを設け、内外冠の結合をさらに強化する。前記内冠は、それぞれ、複数の支柱歯上に被せられ、各連結バーの両端は、前記内冠の内の二つに連結され、前記外冠内には複数の凹溝が設けられ、前記凹溝は、前記内冠に対応して設けられ、前記係合メカニズムは、係合ブロックと弾性カバーとを備え、前記係合ブロックは球状を呈するとともに、前記内冠の内の一つに設けられ、前記弾性カバーは、前記凹溝内の一つの内部に設けられ、前記弾性カバーは、カバー口とカバー溝を備え、前記カバー口と前記カバー溝は相互に連通し、前記カバー口は、前記係合ブロックに対応して設けられ、前記カバー溝は、前記係合ブロック外縁を被覆する。
【発明の効果】
【０００８】
このように、本発明は、洗浄するための空間を有するため、一般の患者が食べ物の残りカスを簡単に取り除くことができ、従来の技術のような問題が発生しない。また、取り付ける前に、元々の本物の歯を歯根に沿って分割し、歯根の二股箇所の骨の穴の腐敗物や汚れを直接取り除くことができる。従って、汚れを取れずに内冠を取り付けた後に腐敗するという従来の欠点を解決するとともに、毎日の洗浄の利便性を高め、受ける力を均等にする。本発明が開発される前は、医者は、従来の技術と知識では前述の状況は治療できず、患者は、日常的に洗浄を行うことができず、骨の穴の腐敗物を取り除くことができなかった。
【図面の簡単な説明】
【０００９】
【図１】本物の歯の汚れが溜まる位置を示した説明図である。
【図２】本発明の実施例を示した斜視図である。
【図３】本発明の実施例の組合せ関係の位置を示した説明図である。
【図４】本発明の実施例の外冠を下から見た状態を示した概略図である。
【図５】本発明の実施例を組み合わせた後の断面図である。
【図６】本発明の実施例に係合メカニズムを結合させた斜視図である。
【図７】本発明の実施例に係合メカニズムを結合させた組合せ関係を示した説明図である。
【図８】本発明の実施例に係合メカニズムを結合させた状態を示した断面図である。
【図９】本発明の別の実施形態の外冠を内冠に結合させた状態を示した斜視図である。
【図１０】本発明の別の実施形態の外冠と内冠の組合せ関係を示した概略図である。
【図１１】本発明の別の実施形態の外冠を下から見た状態を示した概略図である。
【発明を実施するための形態】
【００１０】
図２から図５に示すように、本発明の実施例による複数の内冠を備えた義歯は、複数の内冠１０と、複数の連結バー２０と、少なくとも一つの外冠３０とからなる。
【００１１】
各内冠１０は、それぞれ、複数の支柱歯Ｔに被せられる。各連結バー２０の両端は、それぞれ、内冠１０の内の二つ以上に連結され、それにより、各内冠１０を支えることができる力を増強し、各単位面積あたりにかかる力を分散させて軽減し、それぞれの部材がはがれたり破壊されたりする力を下げる。
【００１２】
外冠３０内には、複数の凹溝３１が設けられる。凹溝３１は、内冠１０に対応して設けられる。従って、外冠３０を内冠１０に被せた時、外冠３０は内冠１０に密着する。それにより、外冠３０と内冠１０は結合され義歯を形成する。
【００１３】
図５を併せて参照する。支柱歯Ｔは、元々の一本の歯の歯冠と歯根を切って、歯冠の下の歯根の二股の箇所の腐敗物が溜まる穴を流れがスムーズになる穴に変え、治療、及び腐敗物を取り除くのを行いやすくし、しかも、患者が洗浄を行いやすくするため、有害物質が支柱歯の歯根の二股の箇所内に残留することがなくなり、各内冠１０の支柱歯の周辺の骨の安定した健康を保つことができる。また、支柱歯Ｔは、インプラントによって形成させることもでき、元々の歯を切って形成させる方法に限定されない。
【００１４】
内冠１０の間には、十分な空間の通り道を有しており、使用者は、各種歯間ブラシや口腔洗浄器等のクリーニング用具を利用して、各内冠１０の間の食物の残りかすを簡単に取り除くことができるため、汚れが溜まって腐敗することがなく、歯の健康を保ち、その後の治療に役立てることができる。
【００１５】
図６から図８を併せて参照する。本発明の実施例では、更に、内冠１０と外冠３０に合わせて使用する、或いは、単独で使用する係合メカニズム４０を設ける。係合メカニズム４０は、係合ブロック４１と、弾性カバー４２とからなる。係合ブロック４１は球状を呈し、内冠１０の内の一つの上に設けられる。弾性カバー４２は、凹溝３１の内の一つの内部に設けられるとともに、カバー口４２１と、カバー溝４２２とからなる。カバー口４２１とカバー溝４２２は、相互に連通し、カバー口４２１は、係合ブロック４１に対応して設けられるとともに、係合ブロック４１の最も広い直径より小さい。カバー溝４２２は、係合ブロック４１外縁を被覆して、係合状態を形成する。
【００１６】
外冠３０を内冠１０に被せた時、弾性カバー４２のカバー口４２１は、まず係合ブロック４１に当接する。外冠３０をさらに内冠１０へ押した時、カバー口４２１は大きく開き係合ブロック４１は弾性カバー４２内にスライドする。それにより、弾性カバー４２は係合ブロック４１を被覆してクランプし、係合状態を形成する。以上により、前記内冠１０と前記外冠３０は固く結合される。
【００１７】
反対に、外冠３０を取り外す時は、外冠３０を上に直接引っ張り、弾性カバー４２のカバー口４２１が係合ブロック４１から外れると、取り外す動作が完了する。弾性カバー４２は優れた弾性の回復力を備えており、外冠３０が一定の高さまで引っ張り上げられなかった時、弾性カバー４２は係合ブロック４１から外れないため、粘着性のある食物を咀嚼する時に生じる引っ張る力に抵抗することができ、内冠１０と外冠３０の結合性に大きな助けとなる。また、弾性カバーは、ゴム材、或いは、金属片の弾性キャップであり、前記係合ブロックは、前記内冠の頂面に設けられる。
【００１８】
また、図９から図１１を参照する。本発明の外冠３０は、複数の義歯統合体造型を備えることができ、単一の本物の歯の構造に限られない。各内冠１０の間は相互に連結され、更に大きな力を支えることができる。
【００１９】
本発明により、医者は治療を行いやすくなり、患者は、取り付け取り外し及び洗浄メンテナンスを行いやすくなるため、従来の技術の問題点である、汚れが溜まりやすい等の問題を解決することができる。
【符号の説明】
【００２０】
１０        内冠
２０        連結バー
３０        外冠
３１        凹溝
４０        係合メカニズム
４１        係合ブロック
４２        弾性カバー
４２１      カバー口
４２２      カバー溝
Ｔ          支柱歯
【図１】
2012143561.tif 000003
【図２】
2012143561.tif 000004
【図３】
2012143561.tif 000005
【図４】
2012143561.tif 000006
【図５】
2012143561.tif 000007
【図６】
2012143561.tif 000008
【図７】
2012143561.tif 000009
【図８】
2012143561.tif 000010
【図９】
2012143561.tif 000011
【図１０】
2012143561.tif 000012
【図１１】
2012143561.tif 000013
【外国語明細書】
TITLE:  ARTIFICIAL TOOTH WITH MULTIPLE
INTERNAL CROWNS
(a) Technical
Field of the Invention
The present invention generally
relates to an artificial tooth, and more particularly to an artificial tooth
having multiple tooth-root internal crowns.
(b)
Description of the Prior Art
An
artificial tooth is used to rebuild a damage tooth of a patient in order to
maintain normal function of mastication of the patient and to keep the tooth
again subsequent corrosion.
A
known structure of artificial tooth that is currently available is composed of
internal and external crown members, wherein the internal crown is mounted to a
natural tooth and then the external crown is fit to the internal crown.  This arrangement allows a user to easily
remove the external crown for cleaning the circumference of the tooth neck, or
to replace and repair a damaged external crown without affecting regular
chewing of the patient.
As
shown in FIG. 1 of the attached drawings, jaw bone is located around the tooth furcation under a natural tooth 90 and food residues may
get accumulated there and rotting there, causing the formation of bone-corroding
rotting cavity 91 in which
rotten flesh accumulates.  Since the
rotting cavity 91 is located at the root furcation that
is surrounded by the gum, it is difficult for a dentist who attempts to perform
a cleaning operation to extend a tool deeply to such a location for throughout
cleaning.  Further, the food
residues may be hidden in a bone cavity at the furcation
area that is located deeply below the gum, making it hard for daily cleaning
and thus leading to subsequent corrosion of the natural tooth and the bone at
the furcation area after a user wears a single-crown
fixed type artificial tooth and an original German manufacturer’s design of
single internal crown structure. 
Once this get severe enough to cause pyosis
and swelling and pain, besides being hard to treat the cavity in the furcation area, it is also hard to completely clean the
rotting cavities in the furcation area.
SUMMARY
OF THE INVENTION
In
view of the above discussed problem, the present invention provides a multiple
internal crown structure that is easy to clean and composed of segmented root
portions or implants and that allows a dentist to completely cleaning the
corroded cavities in the furcation area of the tooth
root before installation of the present invention for eliminating the potential
risk of subsequent corrosion.
The present invention provides an
artificial tooth with multiple internal crowns, which comprises a plurality of
the internal crown members, a plurality of the connection bars, and at least
one external crown member.  The
internal crown members are respectively fit to a plurality of the abutments.  Each of the connection bars connects to
at least two of the internal crown members.  The external crown member forms therein
a plurality of recesses.  The
recesses are formed to correspond to the internal crown members.  The external crown member, when fit to
the internal crown members, forms a tight engagement with the internal crown
members.
The present invention can be
incorporated with a retention structure to improve the coupling of the internal
and external crown members, wherein the internal crown members are respectively
fit to a plurality of the abutments and each of the connection bars has two end
respectively connected to two of the internal crown members.  The external crown member forms therein
a plurality of recesses and the recesses are formed to correspond to the internal
crown members.  The retention
structure comprises a retention block and a resilient cap.  The retention block is of a spherical
form and is mounted to one of the internal crown members.  The resilient cap is formed in one of
the recesses.  The resilient cap
forms an opening and a fitting chamber. 
The opening and the fitting chamber are in communication with each
other.  The opening is formed to
correspond to the retention block. 
The fitting chamber is fit to and encloses an outer circumference of the
retention block.
As such, the present invention
provides a space for easy cleaning. 
A patient can easily remove food residues from the teeth so as to eliminate
the problems occurring in the conventional prosthetic devices.  Further, before installation, a natural
tooth is first cut to separate portions to allow dirt or rotten substance in the
furcation area of tooth root to be completely
removed.  Thus, any problem caused
by dirt or rotten substance after the installation of the internal crown member
can be eliminated, thereby overcoming the drawbacks of the conventional
prosthetic devices and also improving the convenience of daily cleaning and
facilitating uniform distribution of force applied thereto.  Before the present invention is made, a
dentist cannot properly treat the previously discussed problems based on the
state-of-the-art technology and the patient is not allowed to remove the rotten
substance through daily cleaning.
The foregoing objectives and
summary provide only a brief introduction to the present invention.  To fully appreciate these and other
objects of the present invention as well as the invention itself, all of which
will become apparent to those skilled in the art, the following detailed
description of the invention and the claims should be read in conjunction with
the accompanying drawings. 
Throughout the specification and drawings identical reference numerals
refer to identical or similar parts.
Many other advantages and
features of the present invention will become manifest to those versed in the
art upon making reference to the detailed description and the accompanying
sheets of drawings in which a preferred structural embodiment incorporating the
principles of the present invention is shown by way of illustrative example.
BRIEF
DESCRIPTION OF THE DRAWINGS
FIG. 1 is a schematic
view showing dirt accumulated under a natural tooth.
FIG. 2 is a schematic view showing an embodiment according to the present
invention.
FIG. 3 is a schematic view
showing spatial relationship between components of the present invention.
FIG. 4 is a schematic bottom view
of an external crown member of the embodiment according to the present
invention.
FIG. 5 is a schematic
cross-sectional view of the present invention in an assembled form.
FIG. 6 is a schematic view
showing a retention structure incorporated in the present invention in an
assembled form.
FIG. 7 is a schematic view
showing the spatial relationship in mounting the retention structure according
to the present invention.
FIG. 8 is a schematic
cross-sectional view showing the retention structure incorporated in the
present invention.
FIG. 9 is a schematic view
showing an external crown member coupled to internal crown members according to
another embodiment of the present invention.
FIG. 10 is a schematic view
showing spatial relationship in coupling the external crown member to the
internal crown members according to said another embodiment of the present
invention.
FIG. 11 is a schematic bottom
view of the external crown member according to said another embodiment of the
present invention.
DETAILED
DESCRIPTION OF THE PREFERRED EMBODIMENTS
The
following descriptions are exemplary embodiments only, and are not intended to limit the scope,
applicability or configuration of the invention in any way.  Rather, the following description provides
a convenient illustration for implementing exemplary embodiments of the
invention.  Various changes to the
described embodiments may be made in the function and arrangement of the
elements described without departing from the scope of the invention as set
forth in the appended claims.
Referring to FIGS. 2-5, the
present invention provides an artificial tooth with multiple internal crowns,
which comprises a plurality of internal crown members 10, a plurality of the
connection bars 20, and at least one external crown member 30.
The internal crown members 10 are
respectively fit to a plurality of the abutments T.  Each of the connection bars 20 has two
ends respectively connected to at least two of the internal crown members 10 to
increase a loading force that each of the internal crown members 10 may bear
and to spread and reduce the magnitude of force that each unit area need to
support, thereby reducing the magnitude of force that peels off and damages
each bonding structure.
The external crown member 30 forms
therein a plurality of the recesses 31. 
The recesses 31 are formed to correspond in locations to the internal
crown members 10.  The external
crown member 30, when fit to the internal crown members 10, forms a tight
engagement with the internal crown members 10 to securely couple the external
crown member 30 and the internal crown members 10 together to form the
artificial tooth.
As shown in FIG. 5, the abutments
T are originally a tooth, which is subjected to cutting through the crown and
the root thereof so as to form an unimpeded channel for a rotting cavity in the
furcation area of the root under the crown.  This facilitates completely removing
rotten flesh for treatment purposes and also facilitates effective cleaning by
a patient without any harmful substance left in the root furcation
among the abutments, and allow for inspection and identification of health and
firm stability of the bone around the abutments of the internal crown members
10.  Further, the abutments T may be
formed by artificial implants and is not limited to cutting a natural tooth.
Since the internal crown members
10 form a sufficient space therebetween to serve as a
channel, a user may easily use a cleaning tool, such as an interdental
brush or a flushing device to clean off food residues between the internal
crown members 10, so that no rotten substance may be left and caring or
advanced treatment of the tooth can be easily performed.
Further, referring to FIGS. 6-8,
the present invention also provides a retention structure 40 that can be used
individually or in combination with the internal crown members 10 and the
external crown member 30.  The
retention structure 40 comprises a retention block 41 and a resilient cap 42,
wherein the retention block 41 is of a spherical form and is mounted to one of
the internal crown members 10.  The
resilient cap 42 is mounted inside one of the recesses 31 and comprises an
opening 421 and a fitting chamber 422. 
The opening 421 and the fitting chamber 422 are in communication with
each other.  The opening 421 is
formed to correspond to the retention block 41 and is smaller than a maximum
outside diameter of the retention block 41.  The fitting chamber 422 can be fit over
and thus encloses an outer circumference of the retention block 41 to form a
clamping engagement.
When the external crown member 30
is fit to the internal crown members 10, the opening 421 of the resilient cap
42 is first positioned on the retention block 41.  With the external crown member 30 being
further depressed toward the internal crown members 10, the opening 421 is
expanded to allow the retention block 41 to slide into the resilient cap 42,
whereby the resilient cap 42 encloses an clamps the retention block 41 to form
the clamping engagement and the internal crown members 10 and the external
crown member 30 are thus securely coupled together.
To remove the external crown
member 30, the external crown member 30 is lifted upward.  Once the opening 421 of the resilient
cap 42 disengages from the retention block 41, the removal is complete.  Due to the resiliency of the resilient
cap 42, without the external crown member 30 being lifted by a predetermined
distance, the resilient cap 42 does not separate from the retention block 41.  This helps the artificial tooth to
resist a pulling force induced by a sticky foodstuff that is being chewed by
the tooth and thus, coupling stability between the internal crown members 10
and the external crown member 30 can be greatly improved.  Further, the resilient cap can be made
of a rubber material or can be a resilient cap made of a metal plate.  Further, the retention block is formed
on a top surface of the internal crown member.
As shown in FIGS. 9-11, a
different structure of the external crown member 30 according to the present
invention is provided, which comprises a plurality of tooth combination bodies
and is not limited to application to a single natural tooth.  Further, the internal crown members 10
can be connected to each other to bear a great force.
The present invention allows a dentist
to carry out a throughout treatment, allows a user to easily mount and clean
the artificial tooth, and eliminates the problems of accumulation of dirty
substance occurring in the conventional devices.
It will be understood that each
of the elements described above, or two or more together may also find a useful
application in other types of methods differing from the type described above.
While certain novel features of
this invention have been shown and described and are pointed out in the annexed
claim, it is not intended to be limited to the details above, since it will be
understood that various omissions, modifications, substitutions and changes in
the forms and details of the device illustrated and in its operation can be
made by those skilled in the art without departing in any way from the spirit
of the present invention.
I CLAIM:
1.     An
artificial tooth, comprising:
a plurality
of internal crown members, which are respectively fit to a plurality of
abutments;
a plurality
of the connection bars, each of which connects to at least two of the internal
crown members; and
at least one
external crown member, which forms therein at least one recess, the recess
being formed to correspond to the internal crown members;
wherein the
external crown member, when fit to the internal crown members, form a tight engagement
with the internal crown members.
2.     The
artificial tooth according to claim 1 further
comprising a retention structure, which comprises:
a retention block,
which is of a spherical for and is formed on one of the internal crown members,
and
a resilient cap, which is formed in one of the at least one recess
and forms an opening and a fitting chamber in communication with each other,
the opening being formed to correspond to the retention block and being smaller
than a maximum outside diameter of the retention block, the fitting chamber
being fit over and enclosing an outer circumference of the retention block.
3.     The
artificial tooth according to claim 2, wherein the
resilient cap is made of a rubber material or comprises a cap made of metal
plate, the retention block being formed on a top surface of the internal crown
member.
4.     An artificial tooth, comprising:
a plurality of
internal crown members, which are respectively fit to a plurality of abutments;
a plurality of the
connection bars, each of which connects to at least two of the internal crown
members;
at least one
external crown member, which forms therein a plurality of recesses, the
recesses being formed to correspond to the internal crown members; and
a retention
structure, which comprises:
a retention block,
which is of a spherical for and is formed on one of the internal crown members,
and
a resilient cap, which is formed in one of the recesses and forms an
opening and a fitting chamber, the opening being in communication with the
fitting chamber and being smaller than a maximum outside diameter of the
retention block, the opening being formed to correspond to the retention block,
the fitting chamber being fit over and enclosing an outer circumference of the
retention block.
5.     The
artificial tooth according to claim 4, wherein the
resilient cap is made of a rubber material or comprises a cap made of metal
plate, the retention block being formed on a top surface of the internal crown
member.
ABSTRACT
OF THE DISCLOSURE
The present invention provides an
artificial tooth with multiple internal crowns, which includes a plurality of
the internal crown members, a plurality of the connection bars, and at least
one external crown member.  The
internal crown members are respectively fit to a plurality of the
abutments.  Each of the connection
bars connects to at least two of the internal crown members.  The external crown member forms therein
a plurality of recesses.  The
recesses are formed to correspond to the internal crown members.  The external crown member, when fit to
the internal crown members, forms a tight engagement with the internal crown
members.
【図１】
2012143561.tif 000014
【図２】
2012143561.tif 000015
【図３】
2012143561.tif 000016
【図４】
2012143561.tif 000017
【図５】
2012143561.tif 000018
【図６】
2012143561.tif 000019
【図７】
2012143561.tif 000020
【図８】
2012143561.tif 000021
【図９】
2012143561.tif 000022
【図１０】
2012143561.tif 000023
【図１１】
2012143561.tif 000024